(57)【要約】【課題】  開封を容易にしながら強度の低下を抑えて、箱潰れや破損が生じ難い梱包ケースを得る。【解決手段】  天面パネル４と背面パネル５と底面パネル６と正面パネル７と、正面パネル７に連接された第１内側面パネル１０，１１と、背面パネル５に連接された第２内側面パネル１４，１５と、天面パネル４に連接された第１外側面パネル１８，１９と、底面パネル６連接された第２外側面パネル２２，２３と、天面パネル４に連接された糊付けフラップ２５とを有する梱包ケースであって、第１外側面パネル１８，１９の内面と第１内側面パネル１０，１１の外面との第１接着部分２６，２７において、第１外側面パネル１８，１９の内面にハーフカット線３０で囲んだ第１の層間切り取り面部３１，３２を設け、第１外側面パネル１８，１９の内面と第２内側面パネル１４，１５の外面との第２接着部分２８，２９において、第１外側面パネル１８，１９の内面にハーフカット線３０で囲んだ第２の層間切り取り面部３５，３６を設けた。【選択図】    図１
2018167878.tif 000002
【特許請求の範囲】
【請求項１】
展開状態において、縦折れ罫線を介して横方向に連接された天面パネルと背面パネルと底面パネルと正面パネルと、前記正面パネルの縦方向の両端に横折れ罫線を介して連接された第１内側面パネルと、前記背面パネルの縦方向の両端に横折れ罫線を介して連接された第２内側面パネルと、前記天面パネルの縦方向の両端に横折れ罫線を介して連接され、前記正面パネルに連接されている前記第１内側面パネル及び前記背面パネルに連接されている前記第２内側面パネルの外面に重ねられて接着される第１外側面パネルと、前記底面パネルの縦方向の両端に横折れ罫線を介して連接され、前記正面パネルに連接されている前記第１内側面パネル及び前記背面パネルに連接されている前記第２内側面パネルの外面に重ねられて接着される第２外側面パネルと、前記天面パネルに縦折り罫線を介して連設され前記正面パネルに接着される糊付けフラップとを有する梱包ケースであって、
前記第１外側面パネルの内面と前記第１内側面パネルの外面との第１接着部分において、前記第１外側面パネルの内面又は前記第１内側面パネルの外面のいずれか一方にハーフカット線で囲まれた第１の層間切り取り面部が設けられ、
前記第１外側面パネルの内面と前記第２内側面パネルの外面との第２接着部分において、前記第１外側面パネルの内面又は前記第２内側面パネルの外面のいずれか一方にハーフカット線で囲まれた第２の層間切り取り面部が設けられていることを特徴とする梱包ケース。
【請求項２】
前記第１の層間切り取り面部及び前記第２の層間切り取り面部は、長方形の短辺側を円弧状にした形状を含む略楕円形に形成されていることを特徴とする請求項１に記載の梱包ケース。
【請求項３】
略楕円形に形成された前記第１の層間切り取り面部及び前記第２の層間切り取り面部は、組立状態において前記天面パネルで形成される天面部の側辺に対して傾斜し、前記底面パネルで形成される底面部側のそれぞれの端部が外側に向くように形成されていることを特徴とする特徴とする請求項２に記載の梱包ケース。
【請求項４】
前記天面パネルと糊付けフラップを連接する縦折り罫線上には、所定間隔でスリットが設けられていることを特徴とする請求項１乃至３のいずれか１項に記載の梱包ケース。
【発明の詳細な説明】
【技術分野】
【０００１】
本発明は、梱包ケースに関し、例えば複数冊のカットシート等を梱包するための梱包ケースに関する。
【背景技術】
【０００２】
一般に、物流においては、商品・製品が箱に梱包されて運搬されることが多い。例えば、紙製品に関し、複写紙、印刷用紙、転写用紙、感圧紙、プリンタ用紙等のカットシートの流通は、カットシートを所定枚数単位で包装用紙に包装して形成された冊を、所定の冊数単位で梱包する段ボールや厚板紙製の梱包ケースを用いて行われている。
【０００３】
従来、このような梱包ケースとして、展開状態において縦折れ線を介して横方向に連接している正面パネルと底面パネルと背面パネルと天面パネルと、正面パネルと背面パネルのそれぞれ縦方向の両端部に横折れ線を介して連接している内側面パネルと、底面パネルと天面パネルのそれぞれ縦方向の両端部に横折れ線を介して連接され内側面パネルの外側に重ねられて接着される外側面パネルと、天面パネルに縦折れ線を介して連接され正面パネルに接着される糊付けフラップとを有し、正面パネルと背面パネルに連接している内側面パネルには、天面パネルに連接している外側面パネルが重ねられる領域の一部に、ミシン目又はスリットからなる切り込み線で囲まれた側面切り取り部が設けられ、天面パネルに連接している外側面パネルと接着される内側面パネルの接着部は、側面切り取り部上に設けられており、また、正面パネルには、天面パネルに連接している糊付けフラップが重ねられる領域の一部に、ミシン目又はスリットからなる切り込み線で囲まれた正面切り取り部が設けられている梱包ケースが知られている（例えば、特許文献１。）。
【０００４】
特許文献１に記載されているような梱包ケースは、開封に際し、天面パネルに連接され正面パネルに接着される糊付けフラップを、その開放端縁から剥離方向へ引き上げ、正面切り取り部を越えて接着している接着部の部分を剥離し、正面切り取り部を切り込み線から切断することにより正面パネルと糊付けフラップを分離し、そして、天面パネルの両端部に連接している外側面パネルを、その開放側端縁から剥離方向へ引き上げ、側面切り取り部を越えて接着している接着部の部分を剥離し、側面切り取り部を切り込み線から切断することにより外側面パネルと内側面パネルを分離する。
【０００５】
正面パネルと糊付けフラップの分離及び外側面パネルと内側面パネルの分離に際し、正面パネルと糊付けフラップの剥離及び外側面パネルと内側面パネルの剥離にあっては、正面切り取り部及び側面切り取り部を越えて接着している接着部の部分だけであるため、剥離に要する力は僅かで済み、また、正面切り取り部及び側面切り取り部を囲んでいるミシン目又はスリットからなる切り込み線は軽い力で切断でき、正面切り取り部を正面パネルから切り取り、側面切り取り部を内側面パネルから切り取ることができるので、大きな力を必要とせず、正面パネルと糊付けフラップを分離し、外側面パネルと内側面パネルを分離することができ、開封作業が容易である。
【先行技術文献】
【特許文献】
【０００６】
【特許文献１】特開２０１１−１４３９５７号公報
【発明の概要】
【発明が解決しようとする課題】
【０００７】
カットシートを梱包した梱包ケースは、一般的に複数段に縦積みされて保管又は流通されるので、下段の梱包ケースは上段の梱包ケースからの荷重を受け続ける状態におかれる。そのため、下段に置かれた梱包ケースは、上段にある梱包ケースの荷重を受けて箱潰れし、また破損してしまい、梱包ケースの箱潰れや破損により、梱包されているカットシートが損傷してしまうといったおそれがある。また、カットシートに損傷が生じなくとも、箱潰れ・破損した梱包ケースは見栄えが悪く商品として好ましいとはいえない。そのため梱包ケースの強度はできるだけ高いことが望まれる。特に、梱包ケースにあって、側面部は外側面パネルと内側面パネルとで構成されているので、正面パネルのみ構成された正面部や背面パネルのみで構成された背面部に比べ上方からの荷重に弱い。
【０００８】
特許文献１に記載の梱包ケースは、開封を容易にするために側面部を構成する内側面パネルにミシン目又はスリットからなる切り込み線で囲まれて形成された側面切り取り部が設けられているので、側面切り取り部が設けられている内側面パネルの強度は弱く、側面部の強度の低下を招き、上方からの大きい荷重を受けたとき、梱包ケースに箱潰れや破損が生じるおそれがあるといった問題があった。
【０００９】
本発明の目的は、開封を容易にしながら強度の低下を抑えて、箱潰れや破損が生じ難い梱包ケースを提供することにある。
【課題を解決するための手段】
【００１０】
上記の目的を達成するために、請求項１に記載の発明は、展開状態において、縦折れ罫線を介して横方向に連接された天面パネルと背面パネルと底面パネルと正面パネルと、前記正面パネルの縦方向の両端に横折れ罫線を介して連接された第１内側面パネルと、前記背面パネルの縦方向の両端に横折れ罫線を介して連接された第２内側面パネルと、前記天面パネルの縦方向の両端に横折れ罫線を介して連接され、前記正面パネルに連接されている前記第１内側面パネル及び前記背面パネルに連接されている前記第２内側面パネルの外面に重ねられて接着される第１外側面パネルと、前記底面パネルの縦方向の両端に横折れ罫線を介して連接され、前記正面パネルに連接されている前記第１内側面パネル及び前記背面パネルに連接されている前記第２内側面パネルの外面に重ねられて接着される第２外側面パネルと、前記天面パネルに縦折れ罫線を介して連接され前記正面パネルに接着される糊付けフラップとを有する梱包ケースであって、前記第１外側面パネルの内面と前記第１内側面パネルの外面との第１接着部分において、前記第１外側面パネルの内面又は前記第１内側面パネルの外面のいずれか一方にハーフカット線で囲まれた第１の層間切り取り面部が設けられ、前記第１外側面パネルの内面と前記第２内側面パネルの外面との第２接着部分において、前記第１外側面パネルの内面又は前記第２内側面パネルの外面のいずれか一方にハーフカット線で囲まれた第２の層間切り取り面部が設けられていることを特徴とする。
【００１１】
請求項２に記載の発明は、請求項１に記載の、前記第１の層間切り取り面部及び前記第２の層間切り取り面部は、長方形の短辺側を円弧状にした形状を含む略楕円形に形成されていることを特徴とする。
【００１２】
請求項３に記載の発明は、請求項２に記載の、略楕円形に形成された前記第１の層間切り取り面部及び前記第２の層間切り取り面部は、組立状態において前記天面パネルで形成される天面部の側辺に対して傾斜し、前記底面パネルで形成される底面部側のそれぞれの端部が外側に向くように形成されていることを特徴とする。
【００１３】
請求項４に記載の発明は、請求項１乃至３に記載の、前記天面パネルと糊付けフラップを連接する縦折れ罫線上には、所定間隔でスリットが設けられていることを特徴とする。
【発明の効果】
【００１４】
請求項１に記載の発明によれば、前記第１外側面パネルの内面と前記第１内側面パネルの外面との第１接着部分において、前記第１外側面パネルの内面又は前記第１内側面パネルの外面のいずれか一方に設けられた前記第１の層間切り取り面部はハーフカット線で形成され、同様に、前記第１外側面パネルの内面と前記第２内側面パネルの外面との第２接着部分において、前記第１外側面パネルの内面又は前記第２内側面パネルの外面のいずれか一方に設けられた前記第２の層間切り取り面部はハーフカット線で形成されているので、特許文献１に記載されているような、ミシン目又はスリットからなる切り込み線で形成された側面切り取り部が設けられている内側面パネルに比べ、前記第１外側面パネル又は前記第２内側面パネルの強度は強く、上方からの荷重に対して容易に箱潰れや破損が生じない梱包ケースを得ることができる。
また、開封に際しては、前記第１外側面パネルをその解放側端縁から剥離方向に引き上げることにより、前記第１及び第２の層間切り取り面部を超えている接着している部分を剥離し、ハーフカット線で囲まれた前記第１及び第２の層間切り取り面部を層間剥離して切り取るので、前記外側面パネルと前記内側面パネルを大きな力を必要とすることなく分離することができ、開封作業を容易に行うことができる。
【００１５】
請求項２に記載の紙容器によれば、請求項１に記載の梱包ケースは、前記第１及び第２の層間切り取り面部は、長方形の短辺側を円弧状にした形状を含む略楕円形に形成されているので、上方からの荷重を前記第１及び第２の層間切り取り面部の周囲の一極に集中することなく円弧辺の部分で分散させることができ、箱潰れや破損を効果的に防止することができる。
【００１６】
請求項３に記載の紙容器によれば、請求項２に記載の梱包ケースは、略楕円形に形成された前記第１及び第２の層間切り取り面部は、組立状態において前記天面パネルで形成される天面部の側辺に対して傾斜し、前記底面パネルで形成される底面部側のそれぞれの端部が外側に向くように形成されているので、上方から荷重がかかった際、その荷重を外方向へ向かって分散させることができ、荷重による箱歪みや崩れ等の発生を効果的に防止することができる。
【００１７】
請求項４に記載の紙容器によれば、請求項１乃至３に記載の梱包ケースは、前記天面パネルと前記糊付けフラップを連接する前記縦折れ罫線上には、所定間隔でスリットが設けられているので、前記縦折れ罫線の強度が弱く、上方から荷重がかかった際、前記縦折れ罫線の部分が変形して前記天面パネルだけが沈み込むことで、前記天面パネルに前記縦折れ罫線を介して連接されている前記糊付けフラップが前記正面パネルから剥離してしまうことを防止することができる。
【図面の簡単な説明】
【００１８】
【図１】本発明に係る梱包ケースの実施の形態の第１例を示す展開図である。
【図２】図１の一部拡大図である。
【図３】図２のＸ−Ｘ線拡大断面図である。
【図４】第１例の梱包ケースの封止した状態を示す斜視図である。
【図５】本発明に係る梱包ケースの実施の形態の第２例を示す展開図である。
【発明を実施するための形態】
【００１９】
以下、本発明に係る梱包ケースを実施の形態の第１例を、図面を参照して詳細に説明する。
図１は本発明に係る梱包ケースの実施の形態の第１例を示す展開図、図２は図１の一部拡大図、図３は図２のＸ−Ｘ線拡大断面図、図４は第１例の梱包ケースの封止した状態を示す斜視図である。
【００２０】
第１例の梱包ケースは、段ボール又は厚板紙からなる紙基材からなり、図１に示すように展開状態において、縦折れ罫線１，２，３を介して横方向に連接された天面パネル４と背面パネル５と底面パネル６と正面パネル７と、正面パネル７の縦方向の両端に横折れ罫線８，９を介して連接された第１内側面パネル１０，１１と、背面パネル５の縦方向の両端に横折れ罫線１２，１３を介して連接された第２内側面パネル１４，１５と、天面パネル４の縦方向の両端に横折れ罫線１６，１７を介して連接され、正面パネル７に連接されている第１内側面パネル１０，１１及び背面パネル５に連接されている第２内側面パネル１４，１５の外面に重ねられて接着される第１外側面パネル１８，１９と、底面パネル６の縦方向の両端に横折れ罫線２０，２１を介して連接され、正面パネルに連接されている第１内側面パネル１０，１１及び背面パネル５に連接されている第２内側面パネル１４，１５の外面に重ねられて接着される第２外側面パネル２２，２３と、天面パネル４に縦折れ罫線２４を介して連接され、正面パネル７に接着される糊付けフラップ２５とを有している。
【００２１】
第１外側面パネル１８，１９と第１内側面パネル１０，１１とには、相互に接着される第１接着部分２６，２７が予定されており、本例では、第１外側面パネル１８，１９の内面の第１接着部分２６，２７となる位置に、ハーフカット線３０で囲まれた第１の層間切り取り面部３１，３２が形成されており、第１内側面パネル１０，１１の外面の第１接着部分２６，２７となる位置に、第１の層間切り取り面部３１，３２を越えて第１の層間切り取り面部３１，３２外に跨がるように接着剤が塗布された第１糊代部３３，３４が設けられている。
【００２２】
また、第１外側面パネル１８，１９と第２内側面パネル１４，１５には、相互に接着される第２接着部分２８，２９が予定され、本例では、第１外側面パネル１８，１９の内面の第２接着部分２８，２９となる位置に、ハーフカット線３０で囲まれた第２の層間切り取り面部３５，３６が形成されており、第２内側面パネル１４，１５の外面の第２接着部分２８，２９となる位置に、第２の層間切り取り面部３５，３６を越えて第２の層間切り取り面部３５，３６外に跨がるように接着剤が塗布された第２糊代部３７，３８が設けられている。
【００２３】
第１の層間切り取り面部３１，３２及び第２の層間切り取り面部３５，３６にあっては、その形状は特に限定されないが、上方からの荷重を分散させるといった点から、長方形の短辺側を円弧状にした形状を含む略楕円形であることが好ましい。
本例では、長方形の短辺側を円弧状にした形状となっている。また、第１の層間切り取り面部３１，３２及び第２の層間切り取り面部３５，３６の数はそれぞれ単数、複数を問わないが、本例ではそれぞれ１つずつ形成している。
【００２４】
また、本例では、第１の層間切り取り面部３１，３２及び第２の層間切り取り面部３５，３６は、組立状態において天面パネル４で形成される天面部３９の側辺となる横折れ罫線１６，１７に対して傾斜し、その底面パネル６で形成される底面部４０側の端部Ａがそれぞれ外側に向くように形成されている。
【００２５】
また、本例では、天面パネル４と糊付けフラップ２５を連接する縦折れ罫線２４上には、所定間隔でスリット４１が設けられている。
【００２６】
また、本例では、正面パネル７と糊付けフラップ２５とには、相互に接着される第３接着部分が予定され、正面パネル７の外面には、天面パネル４に連接している糊付けフラップ２５の内面と接着される第３接着部分４２となる位置に、ミシン目又はスリットからなる切り込み線４３で囲まれた切り取り部４４が設けられており、糊付けフラップ２５の内面の第３接着部分４２となる位置に、切り取り部４４を越えて切り取り部４４外に跨がるように接着剤が塗布された第３糊代部４５設けられている。
【００２７】
切り取り部４４の形状や数に合っては特に限定されないが、上方からの荷重を分散させるといった点から、長方形の短辺側を円弧状にした形状を含む略楕円形であることが好ましい。本例では、切り取り部４４は、組立状態において正面パネル７で形成される正面部４３の側辺となる横折れ罫線８，９に対して傾斜し、その底面パネル６で形成される底面部４０側の端部Ａがそれぞれ外側に向くように形成されている（図４参照。）。
【００２８】
なお、本例では天面パネル４に連接している糊付けフラップ２５の内面と接着される第３接着部分４２となる位置に、正面パネル７の外面にミシン目又はスリットからなる切り込み線４３で囲まれた切り取り部４４が設けられてるが、切り取り部４４ではなく、ハーフカット線で囲まれた層間切り取り面部を設けてもよい。
【００２９】
また、本例では、底面パネル６に連接されている第２外側面パネル２２，２３には、正面パネルに連接されている第１内側面パネル１０，１１及び背面パネル５に連接されている第２内側面パネル１４，１５の外面と接着する第４糊代部４６が設けられており、第４糊代部４６には接着剤が塗布されている。
【００３０】
このような展開構造を有する本例では、縦折線１，２，３から天面パネル４、背面パネル５、底面パネル６、正面パネル７、糊付けフラップ２５がそれぞれ谷折りされ、糊付けフラップ２５が正面パネル７の開放端縁側の外面に接着されてケース本体４７が形成される。
【００３１】
この状態でカットシートがケース本体４７に収容されており、次に、横折れ罫線８，９から第１内側面パネル１０，１１が谷折りされ、また、横折れ罫線１２，１３から第２内側面パネル１４，１５が谷折りされて、更に、横折れ罫線２０，２１から第２外側面パネル２２，２３が谷折りされて第１内側面パネル１０，１１、第２内側面パネル１４，１５の上に重ねられて接着され、また、横折れ罫線１６，１７から第１外側面パネル１８，１９が谷折りされて第１内側面パネル１０，１１、第２内側面パネル１４，１５の上に重ねられて接着されることにより、開口部が封止され、これによって、カットシートが梱包された梱包ケースの組み立てが完成する（図４参照。）。
【００３２】
このようにして封止された梱包ケースの開封にあっては、正面パネル７の開放端縁側の外面に接着されている糊付けフラップ２５を、糊付けフラップ２５の開放端縁から剥離方向に引き上げることにより、切り込み線４３を切断して切り込み線４３で囲まれた切り取り部４４を正面パネル７から切り取り、同時に切り取り部４４を越えている第３接着部分における糊付けフラップ２５と正面パネル７を剥離させる。これにより、糊付けフラップ２５と正面パネル７とが分離する。
【００３３】
また、第１内側面パネル１０、第２内側面パネル１４の外面に接着されている第１外側面パネル１８を、その解放側端縁から剥離方向に引き上げることにより、第１外側面パネル１８の内面に設けられている第１の層間切り取り面部３１及び第２の層間切り取り面部３５を第１外側面パネル１８から層間剥離させ、同時に第１の層間切り取り面部３１及び第２の層間切り取り面部３５を超えて接着している部分を剥離させる。これにより、第１外側面パネル１８と第１内側面パネル１０、第２内側面パネル１４とが分離する。
【００３４】
また、第１内側面パネル１１、第２内側面パネル１５の外面に接着されている第１外側面パネル１９を、その解放側端縁から剥離方向に引き上げることにより、第１外側面パネル１９の内面に設けられている第１の層間切り取り面部３２及び第２の層間切り取り面部３６を第１外側面パネル１９から層間剥離させ、同時に第１の層間切り取り面部３２及び第２の層間切り取り面部３６を超えて接着している部分を剥離させる。これにより、第１外側面パネル１９と第１内側面パネル１１、第２内側面パネル１５とが分離する。
このようにして、天面パネル４の三方が開放され、天面パネル４は背面パネル５との間の縦折れ罫線１をヒンジとしてケース本体４７の開口部が開口し、梱包ケースが開封される。
【００３５】
このように構成された第１例の梱包ケースによれば、第１外側面パネル１８，１９の内面と第１内側面パネル１０，１１の外面との第１接着部分２６，２７において、第１外側面パネル１８，１９の内面に設けられた第１の層間切り取り面部３１，３２はハーフカット線３０で形成され、同様に、第１外側面パネル１８，１９の内面と第２内側面パネル１４，１５の外面との第２接着部分２８，２９において、第１外側面パネル１８，１９の内面に設けられた第２の層間切り取り面部３５，３６はハーフカット線３０で形成されているので、特許文献１に記載されているような、ミシン目又はスリットからなる切り込み線で形成された側面切り取り部が設けられている内側面パネルに比べ、第１外側面パネル１８，１９の強度は強く、上方からの荷重に対して容易に箱潰れや破損が生じない梱包ケースを得ることができる。
【００３６】
また、本例では、第１の層間切り取り面部３１，３２及び第２の層間切り取り面部３５，３６は、長方形の短辺側を円弧状にした形状を含む略楕円形に形成されているので、上方からの荷重を第１の層間切り取り面部３１，３２及び第２の層間切り取り面部３５，３６の周囲の一極に集中することなく円弧辺の部分で分散させることができ、箱潰れや破損を効果的に防止することができる。
【００３７】
また、本例では、梱包ケースは、略楕円形に形成された第１の層間切り取り面部３１，３２及び第２の層間切り取り面部３５，３６は、組立状態において天面パネル４で形成される天面部３９の側辺に対して傾斜し、底面パネル６で形成される底面部４０側のそれぞれの端部が外側に向くように形成されているので、上方から荷重がかかった際、その荷重を外方向へ向かって分散させることができ、荷重による箱歪みや崩れ等の発生を効果的に防止することができる。
【００３８】
また、本例では、天面パネル４と糊付けフラップ２５を連接する縦折れ罫線２４上には、所定間隔でスリット４１が設けられているので、縦折れ罫線２４の部分の強度が弱く、上方から荷重がかかった際、縦折れ罫線２４の部分が変形して天面パネル４だけが沈み込むことで、天面パネル４に縦折れ罫線２４を介して連接されている糊付けフラップ２５が正面パネル７から剥離してしまうことを防止することができる。
【００３９】
また、梱包ケースの開封に際しては、第１外側面パネル１８，１９をその解放側端縁から剥離方向に引き上げることにより、第１の層間切り取り面部３１，３２及び第２の層間切り取り面部３５，３６を越えている接着部分を剥離し、ハーフカット線３０で囲まれた第１の層間切り取り面部３１，３２及び第２の層間切り取り面部３５，３６を層間剥離させて切り取るので、第１外側面パネル１８，１９と第１内側面パネル１０，１１及び第２内側面パネル１４，１５を大きな力を必要とすることなく分離することができ、開封作業を容易に行うことができる。
【００４０】
次に、本発明に係る梱包ケースの実施の形態の第２例を図面を参照して詳細に説明する。図５は本発明に係る梱包ケースの実施の形態の第２例を示す展開図である。
本例の梱包ケースについて、第１例と同一の構成については同一の符号を付して説明する。
【００４１】
第２例の梱包ケースは、第１例と同様に、段ボール又は厚板紙からなる紙基材からなり、第１例と同様の展開状態において、縦折れ罫線１，２，３を介して横方向に連接された天面パネル４と背面パネル５と底面パネル６と正面パネル７と、正面パネル７の縦方向の両端に横折れ罫線８，９を介して連接された第１内側面パネル１０，１１と、背面パネル５の縦方向の両端に横折れ罫線１２，１３を介して連接された第２内側面パネル１４，１５と、天面パネル４の縦方向の両端に横折れ罫線１６，１７を介して連接され、正面パネル７に連接されている第１内側面パネル１０，１１及び背面パネル５に連接されている第２内側面パネル１４，１５の外面に重ねられて接着される第１外側面パネル１８，１９と、底面パネル６の縦方向の両端に横折れ罫線２０，２１を介して連接され、正面パネルに連接されている第１内側面パネル１０，１１及び背面パネル５に連接されている第２内側面パネル１４，１５の外面に重ねられて接着される第２外側面パネル２２，２３と、天面パネル４に縦折れ罫線２４を介して連接され、正面パネル７に接着される糊付けフラップ２５とを有している。
【００４２】
本例では、第１内側面パネル１０の外面の第１接着部分２６となる位置に、ハーフカット線３０で囲まれた第１の層間切り取り面部３１が形成されており、第２内側面パネル１４の外面の第２接着部分２８となる位置に、ハーフカット線３０で囲まれた第２の層間切り取り面部３５が形成されている。また、第１外側面パネル１８の内面の第１接着部分２６となる位置に第１の層間切り取り面部３１を越えるように接着剤が塗布された第１糊代部３３が設けられ、第２接着部分２８となる位置に第２の層間切り取り面部３５を越えるように接着剤が塗布された第２糊代部３７が設けられている。
【００４３】
また、第１内側面パネル１１の外面の第１接着部分２７となる位置に、ハーフカット線３０で囲まれた第１の層間切り取り面部３２が形成されており、第２内側面パネル１５の外面の第２接着部分２９となる位置に、ハーフカット線３０で囲まれた第２の層間切り取り面部３６が形成されている。そして、第１外側面パネル１９の内面の第１接着部分２７となる位置に第１の層間切り取り面部３２を越えるように接着剤が塗布された第１糊代部３４が設けられ、第２接着部分２９となる位置に第２の層間切り取り面部３６を越えるように接着剤が塗布された第２糊代部３８が設けられている。
【００４４】
本例では、第１の層間切り取り面部３１，３２及び第２の層間切り取り面部３５，３６は、第１例と同様、その形状は特に限定されないが、上方からの荷重を分散させるといった点から、長方形の短辺側を円弧状にした形状を含む略楕円形であることが好ましい。
本例では、長方形の短辺側を円弧状にした形状となっている。また、第１の層間切り取り面部３１，３２及び第２の層間切り取り面部３５，３６の数はそれぞれ単数、複数を問わないが、本例ではそれぞれ１つずつ形成している。
【００４５】
また、本例では、第１の層間切り取り面部３１，３２及び第２の層間切り取り面部３５，３６は、組立状態において天面パネル４で形成される天面部３９の側辺となる横折れ罫線１６，１７に対して傾斜し、その底面パネル６で形成される底面部４０側の端部Ａがそれぞれ外側に向くように形成されている。
【００４６】
このように構成された第２例の梱包ケースによれば、第１外側面パネル１８，１９の内面と第１内側面パネル１０，１１の外面との第１接着部分２６，２７において、第１内側面パネル１０，１１の外面に設けられた第１の層間切り取り面部３１，３２はハーフカット線３０で形成され、同様に、第２内側面パネル１４，１５の外面に設けられた第２の層間切り取り面部３５，３６はハーフカット線３０で形成されているので、特許文献１に記載されているような、ミシン目又はスリットからなる切り込み線で形成された側面切り取り部が設けられている内側面パネルに比べ、第１内側面パネル１０，１１及び第２内側面パネル１４，１５の強度は強く、上方からの荷重に対して容易に箱潰れや破損が生じない梱包ケースを得ることができる。
その他の作用効果は、第１例と同様なので、第１例の説明を援用し、その説明を省略する。
【００４７】
以上、本発明について、カットシートを例に挙げ説明したが、本発明の用途はカットシートの梱包に限られることなく、複数段に縦積みされて保管又は流通される商品・製品の梱包に使用することができる。
【符号の説明】
【００４８】
１，２，３  縦折れ罫線
４  天面パネル
５  背面パネル
６  底面パネル
７  正面パネル
８，９  横折れ罫線
１０，１１  第１内側面パネル
１２，１３  横折れ罫線
１４，１５  第２内側面パネル
１６，１７  横折れ罫線
１８，１９  第１外側面パネル
２０，２１  横折れ罫線
２２，２３  第２外側面パネル
２４  縦折れ罫線
２５  糊付けフラップ
２６，２７  第１接着部分
２８，２９  第２接着部分
３０  ハーフカット線
３１，３２  第１の層間切り取り面部
３３，３４  第１糊代部
３５，３６  第２の層間切り取り面部
３７，３８  第２糊代部
３９  天面部
４０  底面部
４１  スリット
４２  第３接着部分
４３  切り込み線
４４  切り取り部
４５  第３糊代部
４６  第４糊代部
４７  ケース本体
Ａ  端部
【図１】
2018167878.tif 000003
【図２】
2018167878.tif 000004
【図３】
2018167878.tif 000005
【図４】
2018167878.tif 000006
【図５】
2018167878.tif 000007